(57)【要約】【課題】椅子の背もたれを利用して背広等の上着を掛ける際、座っている者が背もたれにもたれても襟の形が崩れないようにすると共に携帯に便利なハンガー補助具を提供することを目的とする。【解決手段】本発明は、補助具３本体を椅子Bの背もたれ１に取り付けるための挟み部４と背広等の上着Aの襟の形状に合わせた襟受け部５とで構成し、ハンガー補助具に背広等の上着の襟部分のみを支持することで、椅子の背もたれの肩部をうまく使って服を支え、形状がコンパクトに構成でき、携帯に便利である。【選択図】図４
2009148408.tif 000002
【特許請求の範囲】
【請求項１】
椅子Bの背もたれ1の上端1aに着脱自在に取り付ける背広等の椅子用ハンガー補助具３であって、補助具３本体を椅子Bの背もたれ１に取り付けるための挟み部４と背広等の上着Aの襟の形状に合わせた襟受け部５とで構成された椅子用ハンガー補助具。
【請求項２】
前記襟受け部５と挟み部４を着脱可能に構成したことを特徴とする請求項1記載の椅子用ハンガー補助具。
【請求項３】
前記襟受け部５を中央の胴部１２とその両側の翼部11a、11bとで構成し、翼部11a、11bを折りたたみ可能に構成したことを特徴とする請求項１記載の椅子用ハンガー補助具。
【請求項４】
前記挟み部４をクリップ状としたことを特徴とする請求項1及び２及び３の椅子用ハンガー補助具。
【発明の詳細な説明】
【技術分野】
【０００１】
この発明は、椅子の背もたれへ着脱自在に取り付けが可能な椅子用ハンガー補助具に関するものである。
【背景技術】
【０００２】
職場や学校等で上着Aを脱ぐ場合、脱いだ上着Aは、自分の座っている椅子Bの背もたれ１に掛けておくことが多い。しかし通常座る椅子Bの形状は図１に示すように背もたれ１が矩形になっていることが多く上端1aが平坦に直線状になっている。図２に示すように椅子Bに背広等の上着Aを掛けた状態で座っている者が背もたれ1にもたれると、背中で上着が押し付けられ襟の形が崩れてしまうことがあった。
【０００３】
これら欠点を解消するために、従来、下記文献例で示すように肩までを保持する通常のハンガーをそのまま椅子の背もたれに取り付けるハンガー補助具が提案されているが、この形状では補助具本体に肩幅の大きさが必要で全体の形状が大きくなり、また、背もたれの厚みも増してしまい、携帯性と実用性に欠けるものであった。
【特許文献１】特開平８−２４０８２
【発明の開示】
【発明が解決しようとする課題】
【０００４】
本発明は、ハンガー補助具３に取り付けるハンガー機能部は襟を掛ける部分５だけとし、服の肩部分の支持を図３に示すように椅子の背もたれ１の肩部２（図1参照）を利用して掛けることで、座っている者が背もたれにもたれても襟の形が崩れないようにすると共に携帯に便利な形状にすることを目的とする。
【課題を解決するための手段】
【０００５】
本発明は、椅子Bの背もたれ1の上端1aに着脱自在に取り付ける背広等の椅子用ハンガー補助具３であって、補助具３本体を椅子Bの背もたれ１に取り付けるための挟み部４と背広等の上着Aの襟の形状に合わせた襟受け部５とで構成する、簡便な椅子用ハンガー補助具３を提供する。
【０００６】
この場合、前記襟受け部５と挟み部４を着脱可能に構成したり、前記襟受け部５を中央の胴部１２とその両側の翼部11a、11bとで構成し、翼部11a、11bを折りたたみ可能に構成したり、前記挟み部４をクリップ状とすることにより、より便利な椅子用ハンガー補助具が提供できる。
【発明の効果】
【０００７】
本発明は、ハンガー補助具３に背広等の上着Aの襟部分のみを支持する部材を取り付ける構成にしたので、形状がコンパクトに構成でき、携帯に便利なだけでなく、背もたれ１に取り付けた状態で従来の様に背もたれ１後方にハンガーが必要以上に飛び出すことがなく、場所を取らないばかりか椅子Bの背もたれ１の肩部２をうまく使って服を支えるため、背広等の服全体を形よく図３に示すように背もたれ１に襟部分が落ちることがなく支えることが出来るのである。
【０００８】
また、前記襟受け部５を前記挟み部４から着脱可能に構成すれば、補助具３全体がコンパクトに収納でき、取り扱いがより便利になる。
【０００９】
また、前記襟受け部５を折りたたみ可能とすることで、補助具３全体がコンパクトに収納でき、携帯性に優れる。
【００１０】
更に前記挟み部４をクリップ形状とすると、色々な厚みの背もたれに対応できると共に保持を確実にすることが出来る。
【発明を実施するための最良の形態】
【００１１】
以下、本発明を実施するための最良の形態について説明する。
【実施例】
【００１２】
図４は本発明の一実施例で、ａ）は正面図、ｂ）は背面図、ｃ）はそのＡ−Ａ‘断面図、ｄ）は補助具本体３の使用例である。プラスチックで成形された補助具本体３はｄ）図に示すように椅子の背もたれ１の上端中央に差し込み可能な弾力性のあるＵ字型の挟み部４とその上方に一体に形成され、背広等の襟部の形状に合わせて首の幅よりわずかに広く形成された丸みを帯びた鍔状をしている襟受け５とで構成され、椅子の背もたれ１に着脱自在に取り付けられる。
【００１３】
（変形例１）
上記各実施例では襟受け部５と挟み部４が一体となった実施例を示したが、この襟受け部５は挟み部４と一体である必要はなく、図５、図６に示すように、襟受け部５を挟み部４に着脱自在に取り付けるようにすることにより、より取り扱いが便利になるように形成することもできる。
【００１４】
上記実施例として図５に示すように、襟受け部５に厚みを持たせて別体に成形し、その下端中央に襟受け部側差込穴６を形成し、挟み部４のＵ字型曲面７の頂上近くの側面に前記襟受け部側差込穴６の形状に合わせて薄く且つ細く成形した挟み部側差込部８を設け、この挟み部側差込部８と襟受け部側差込穴６を連結させることで襟受け部５と挟み部４を着脱自在とすることができる。
【００１５】
図５の実施例と異なり図６に示すように挟み部４のＵ字型曲面７の側面に挟み部側差込穴１０を設け、襟受け部５に挟み部側差込穴１０の形状に合わせて薄く且つ細く成形した襟受け部側差込部９を設けることで着脱自在とすることもできる。
【００１６】
（変形例２）
図７は襟受け部５が折りたたみ式となった変形例でａ)は背面図、ｂ)は折りたたみ時の背面から見た図、ｃ)は折りたたみ時の側面図である。この場合、襟受け部５を翼部１１ａ、翼部１１ｂと胴１２に分割しヒンジ１３ａとヒンジ１３ｂを設ける。さらに胴部１２と挟み部４を分割しヒンジ１３ｃを設ける。そしてこの３箇所のヒンジ１３ａ、１３ｂ、１３ｃを折りたたむことで携帯時に全体形状を小型に出来、より商品価値を向上させることが出来る。
【００１７】
（変形例３）
挟み部４の形状は図４のように弾力性のあるＵ字型のものである必要はなく、図８、図９に示すようにクリップ形状に挟み部４を構成することもできる。クリップ形状を用いることで様々な背もたれの厚みに対応して挟むことがでると共に保持を確実にすることができる。
【００１８】
以下上記変形例３を更に詳しく説明する。図８は上記実施例の分解斜視図で、プラスチック等で形成された一対のクリップ状の挟み受部１４は挟み留め部１５ａ、１５ｂと開閉操作部１６ａ、１６ｂで構成され、これらの２部材は、開閉軸１７と支持ピン１８とバネ１９によりクリップ形状に組み立てられる。一対の開閉操作部１６ａ、１６ｂの少なくとも片方を背広等の襟部の形状に合わせて首の幅よりわずかに広く形成された丸みを帯びた鍔状の襟受け部５として構成する(ここでは１６ａを襟受け部５として構成する)。クリップ形状を成形するためのバネは、コイル状のバネ、板バネ等の弾発機能を有するものを使用する。
【００１９】
図９はクリップ形状に挟み部を構成したときの実施例でありａ）は正面図、ｂ）はそのＡ−Ａ‘断面図、ｃ）は補助具本体２０の使用時の側面図である。挟み部をクリップ形状とした補助具２０本体は図９のｃ）に示すように開閉操作部１６ｂと襟受け部５を指でつまみ開閉軸１７を支点として挟み留部１５ａと挟み留部１５ｂが開き、椅子の背もたれ１の上端中央１ａを挟むことでしっかりと固定することができる。
【００２０】
（変形例４）
図１０は挟み部４をクリップ形状に構成した実施例で襟受け部５を着脱自在にしたものの分解斜視図である。別体に作成した襟受け部５にレール式差込受け部２１を形成して、開閉操作部１６ａと開閉操作部１６ｂの少なくとも片方にレール式差込受け部２１の形状に合わせたレール形状差込部２２を成形し着脱自在とするものである。
【００２１】
（変形例５）
図１１は挟み部４をクリップ形状に構成した実施例で襟受け部５を折りたたみ式にしたものであり、ａ)は背面図、ｂ)は折りたたみ時の背面図、ｃ)は折りたたみ時の側面図である。襟受け部５を中央の胴部１２とその両側の翼部１１ａ、１１ｂに分割しヒンジ１３ａとヒンジ１３ｂを設ける。この2箇所のヒンジを折りたたむことで前述の様に携帯時に全体形状を小型に出来、より商品価値を向上させることが出来る。
【００２２】
図１２は襟受け部５を襟たたみ式に構成したときに、挟み部４をクリップ形状とした補助具２０本体を意匠的に工夫したものの実施例であり、ａ)は正面図、ｂ)は折りたたみ時の正面図、ｃ)は折りたたみ時の側面図である。襟受け部５と挟み部４の組合せを鳥に見立てて、開閉操作部１６ｂに鳥の顔部２３、挟み留め部１５ｂに鳥の胴体部２４を成形し、翼部１１ａ、１１ｂを鳥の翼部２５に見立てて翼を広げたりたたんだりする意匠形状にすることも出来る。
このように本発明を動物などに見立てて意匠形状を工夫することで襟受け部の折りたたみ性を生かしたデザインができる。
【００２３】
本発明の素材は、本発明の趣旨で使用できるものであれば何でもよく、樹脂、プラスチック、アルミ、ステンレス、木材等の形成自由度の高いものが適している。
【００２４】
本発明は、以上のような構造でこれを使用するときは、襟受け部５を持ち挟み部４で椅子Bの背もたれ１の上端を挟み、椅子Bの背もたれ１の最上部に本発明を固定する。そして背広等の上着Aを椅子Bの背もたれ１に掛けるときには、襟の位置が襟受け部５に当たるよう上着Aを掛ける。
こうすることで、椅子Bに座る者が背もたれ１にもたれても、背中で襟の形を崩すことはない。
【図面の簡単な説明】
【００２５】
【図１】一般的な背もたれが矩形の椅子
【図２】ハンガー補助具を用いないで上着を椅子にかけた状態
【図３】ハンガー補助具を用いて上着を椅子にかけた状態
【図４】本発明の実施例でａ）は正面図、ｂ）は背面図、ｃ）はそのＡ−Ａ‘断面図である。ｄ）は補助具本体の使用例である
【図５】本発明の実施例で襟受け部を着脱可能とし、かつ襟受け部に差込穴を設ける例である。
【図６】本発明の実施例で襟受け部を着脱可能とし、かつ挟み部に差込穴を設ける例である。
【図７】本発明の実施例で襟受け部を折りたたみ式とした例である。
【図８】本発明の実施例で挟み部の形状をクリップ形状に構成した分解斜視図である。
【図９】本発明の実施例で挟み部の形状をクリップ形状に構成したときのａ）は正面図、ｂ）はそのＡ−Ａ‘断面図、ｃ）は補助具本体の使用時の断面図である。
【図１０】本発明の実施例で挟み部の形状をクリップ形状に構成し、かつ襟受け部を着脱可能としたときの分解斜視図である。
【図１１】本発明の実施例で挟み部の形状をクリップ形状に構成し、かつ襟受け部を折りたたみ可能に構成したときのａ)は背面図、ｂ)は折りたたみ時の背面図、ｃ)は折りたたみ時の側面図である。
【図１２】図１２は襟受け部を襟たたみ式に構成したときに、補助具本体を意匠的に工夫したものの実施例である
【符号の説明】
【００２６】
Ａ  上着
Ｂ  椅子
１  背もたれ
１a  背もたれの上端
２  肩部
３  補助具
４  挟み部
５  襟受け部
６  襟受け部側差込穴
７  Ｕ字型曲面
８  挟み部部側差込部
９  襟受け部側差込部
１０  挟み部側差込穴
１１ａ、１１ｂ  翼部
１２  胴部
１３ａ、１３ｂ、１３ｃ  ヒンジ
１４  挟み受け部
１５ａ、１５ｂ  挟み留め部
１６ａ、１６ｂ  開閉操作部
１７  開閉軸
１８  支持ピン
１９  バネ
２０  挟み部をクリップ形状とした補助具
２１  レール式差込受け部
２２  レール式差込部
２３  鳥の顔部
２４  鳥の胴体部
２５  鳥の翼部
【図１】
2009148408.tif 000003
【図２】
2009148408.tif 000004
【図３】
2009148408.tif 000005
【図４】
2009148408.tif 000006
【図５】
2009148408.tif 000007
【図６】
2009148408.tif 000008
【図７】
2009148408.tif 000009
【図８】
2009148408.tif 000010
【図９】
2009148408.tif 000011
【図１０】
2009148408.tif 000012
【図１１】
2009148408.tif 000013
【図１２】
2009148408.tif 000014